(57)【特許請求の範囲】
【請求項１】
マンホールのような地中溝を塞ぐ軽量鋼製の蓋体に埋め込まれ、その表面側からの操作により裏面側に配備されているロック部材を出没させて蓋体の施錠・解錠を行うロック構造において、
上側開口部の内周面にはネジ部が形成され、かつ底面に挿通孔が開設された中空状の外筒を設け、外筒の上側開口部には上下動操作部材を螺合し、上下動操作部材には底面に長方形状の挿通穴を開設した内筒を遊嵌状態で吊り下げ、内筒底面の長方形状挿通穴内には作動伝達機構を構成する正逆回転部材のスクリュー状の羽根体を挿入し、羽根体の下部に設けられているフランジ部を外筒の底面上に係合させるとともに、フランジ部の下部より延設される筒体を外筒底面の挿通孔より垂下させ、かつ筒体の最下端に施錠と解錠とを行うロック部材を取付け、外筒の底面より垂下される筒体の外周には外筒底面とロック部材と摺合する筒体上下動防止用のリング体を取付け、上下動操作部材の昇降時には垂直動規制機構により内筒を一定の垂直状態に保持し、かつ上下動操作部材の下降時には下降する内筒底面の挿通穴に規制されてスクリュー状の羽根体が捩られロック部材が解錠状態に回動され、上下動操作部材の上昇時には上昇する内筒底面の挿通穴に規制されてスクリュー状の羽根体が捩られロック部材が施錠状態に回動されることを特徴とする地中溝用蓋体のロック構造。
【請求項２】
作動伝達機構を構成する正逆回転部材のスクリュー状の羽根体は、板体の上端面と下端面とが９０゜位相を異なるように捩り形成された羽根体であることを特徴とする請求項１記載の地中溝用蓋体のロック構造。
【請求項３】
内筒の垂直動規制機構は、外筒の側面に開設されている挿通孔より挿入され、外筒内に吊り下げられている内筒の長孔内に先端部分が突き入れられ、外筒内において内筒が昇降する際には内筒が回転せずに垂直状態で昇降するように規制するボルトとより構成されることを特徴とする請求項１または２記載の地中溝用蓋体のロック構造。
【発明の詳細な説明】
【０００１】
【発明の属する技術分野】
この発明は、簡易かつ堅牢な構成で施錠・解錠時にはロック部材の出没を円滑に行うことが可能な地中溝用蓋体のロック構造に関するものである。
【０００２】
【従来の技術】
地中に埋設され各種の配管や配線を挿通するマンホールのような地中溝を塞ぐ蓋体は、溝内の作業時などには解錠されて開蓋され、作業終了後などには施錠されて閉蓋されるが、このような蓋体は軽量鋼製のものとして形成されることが多く、またこの蓋体にはロック装置が設けられている。
【０００３】
そして、このような蓋体のロック装置は、蓋体とその上部をカバーするコンクリート製の路面形成部材を貫通するように埋め込まれ、ロック装置の表面側からの操作により蓋体の裏面側に配備されているロック部材を出没させ、これにより蓋体の施錠と解錠を行うように構成されている。
【０００４】
しかして、このようなロック装置は、施錠・解錠器具によりなされた表面側からの開閉操作を、作動伝達機構を介して裏面側のロック部材の出没動作に伝達するように構成される。例えば、ロック装置の表面側に設けられたネジ部材を回転させて昇降させると、このネジ部材の上下動の動作を作動伝達機構は、裏面側に配備されているロック部材が水平方向に正逆回転するように伝達し、ロック部材の出没を図って施錠と解錠の動作を行うように変換する。
【０００５】
したがって、このようなロック装置では、回転動作に伴う上下動の動作を水平方向の正逆回転動作に変換する作動伝達機構が特に主要な機構となる。
【０００６】
【発明が解決しようとする課題】
しかしながら、そのような動作を行う作動伝達機構は、その構造が複雑になるという問題があり、この作動伝達機構が複雑になると製作コストが高騰するとともに、故障が発生し易すくなるなどの問題を有している。
【０００７】
しかも、このようなロック装置は、上記したようにコンクリート中および蓋体中にその表面側と裏面側を残して埋め込まれるため、故障が発生するとその保守に大変手間取ることとなり、さらに、大量に使用されるためできるだけ低いコトスで製作することが必要とされる。
【０００８】
この発明は、このような事情に基づいてなされたものであり、耐久性に優れるとともに低コストに作製することができ、簡易かつ堅牢な構成で施錠・解錠時にはロック部材の出没を円滑に行うことが可能な地中溝用蓋体のロック構造の提供を目的とする。
【０００９】
【課題を解決するための手段】
この発明は、上記のような目的を達成するために、マンホールのような地中溝を塞ぐ軽量鋼製の蓋体に埋め込まれ、その表面側からの操作により裏面側に配備されているロック部材を出没させて蓋体の施錠・解錠を行うロック構造において、上側開口部の内周面にはネジ部が形成され、かつ底面に挿通孔が開設された中空状の外筒を設け、外筒の上側開口部には上下動操作部材を螺合し、上下動操作部材には底面に長方形状の挿通穴を開設した内筒を遊嵌状態で吊り下げ、内筒底面の長方形状挿通穴内には作動伝達機構を構成する正逆回転部材のスクリュー状の羽根体を挿入し、羽根体の下部に設けられているフランジ部を外筒の底面上に係合させるとともに、フランジ部の下部より延設される筒体を外筒底面の挿通孔より垂下させ、かつ筒体の最下端に施錠と解錠とを行うロック部材を取付け、外筒の底面より垂下される筒体の外周には外筒底面とロック部材と摺合する筒体上下動防止用のリング体を取付け、上下動操作部材の昇降時には垂直動規制機構により内筒を一定の垂直状態に保持し、かつ上下動操作部材の下降時には下降する内筒底面の挿通穴に規制されてスクリュー状の羽根体が捩られロック部材が解錠状態に回動され、上下動操作部材の上昇時には上昇する内筒底面の挿通穴に規制されてスクリュー状の羽根体が捩られロック部材が施錠状態に回動されることを特徴とする。
【００１０】
【発明の実施の形態】
以下、この発明の実施例を図面に基づき詳細に説明する。図１は、この発明に係るロック装置の外観を示す側面図であり、図２は、図１の平面図である。
【００１１】
図１に示すように、このロック装置は外径２６ｍｍ前後で高さ７６ｍｍ前後の中空状の金属製の筒体である外筒１を最外殻とし、外筒１は、一般的には図示は省略するが、各種の配管や配線を挿通するマンホールのような地中溝を開閉する軽量鋼製の蓋体と、その蓋体をカバーするコンクリート製の路面形成部材を貫通して両部材中に埋め込まれる。
【００１２】
外筒１の上側開口部２の内周面には、図３および図４に示すように、ネジ部３が形成されており、かつ側面の上下方向の中間部位には、外筒１の側面に開設された挿通孔４，４が相対向して一対設けられるとともに、この挿通孔４内にボルト５がネジ込まれる。また、外筒１の約２／３の下方には厚さ６ｍｍ，タテ・ヨコ６３ｍｍ，４３ｍｍ前後の抜け止め用のフランジ部６が張り出されている。
【００１３】
上下動操作部材７は、外筒１の上側開口部２内に螺着されるものであり、その外周面には外筒１の上側の内周面に形成されているネジ部３に螺合するネジ部７ａが形成され、その下面の中央からは吊り子７ｂが突設され、その上面には回動操作用の溝部７ｃが設けられている。
【００１４】
吊り子７ｂは、内筒８の上面に開設された穴（図示略）を挿通し、内筒８の上面の内側において止めリング９により細径の首部（図示略）が止着されることにより、内筒８を回転自在な遊嵌状態に吊り下げている。したがって、上下動操作部材７が回転中でも、内筒８を上下動操作部材７の回転方向と逆方向に回転することが可能である。
【００１５】
内筒８は、外筒１の上側開口部２より外筒１内に挿入される中空状の筒体であり、この筒体の側面の上下方向には、図５に示したように、相対向する一対の長孔８ａ，８ａが開設され、その底面には、図６に示したように、長方形状の挿通穴８ｂが開設されている。なお、挿通穴８ｂの形成に際しては、筒体の底面に直接切削して形成してもよいが、図示したように、別体の筒体１０を作製しこの筒体１０の底面に予め挿通穴８ｂを形成しておき、この筒体１０を内筒８の底部に嵌合し溶接して形成してもよい。
【００１６】
一方、外筒１の側面に開設されている挿通孔４，４には小型のボルト５が螺入され、このボルト５は、内筒８の長孔８ｂ内にその先端部分が突き入れられるように螺入される。これにより、外筒１内に遊嵌状態で吊り下げられている内筒８は、上下動操作部材７が回転による昇降に伴って上下動した場合でも、垂直状態で上下動するように規制される。このように、外筒１の挿通孔４，ボルト５，内筒８の長孔８ａとによって、内筒８に対する垂直動規制部材１１が構成される。
【００１７】
作動伝達機構１２を構成する正逆回転部材は、内筒８の底面に開設されている挿通穴８ｂを介して内筒８内に挿通されるスクリュー状の羽根体１２ａと、羽根体１２ａの下部に一体的に溶接されるフランジ部１２ｂと、このフランジ部１２ｂの中央部分より垂下される筒体１２ｃとにより構成される。
【００１８】
スクリュー状の羽根体１２ａは、挿通穴８ｂに挿通される板体として形成されているが、その板体の上端面と下端面とが９０゜位相を異なるように捩って形成されている。
【００１９】
外筒１の底面には、正逆回転部材のフランジ部１２ｂが係合されるとともに、その中央部にはフランジ部１２ｂ以下の筒体１２ｃを回転可能に挿通し支持する中央穴１ｂが開設されている。この中央穴１ｂは、外筒１の下側開口部を閉塞する底板１３に中央穴１ｂを予め開設し、この底板１３を外筒１の下部開口部に溶接して形成すれば好適である。
【００２０】
ロック部材１４は、長方形状の箱型として形成されるとともに、正逆回転部材の筒体１２ｃの最下端に取付けられており、正逆回転部材の正転および逆転により水平方向に回転し、出没状態を交互に繰り返して蓋体の施錠と解錠を行う。
【００２１】
このロック部材１４と正逆回転部材の筒体１２ｃとの取付けは、実施例では筒体１２ｃの最下端と螺着するようにしているが、これに限定される必要はなく溶接などにより一体的に取付け形成してもよい。
【００２２】
外筒１の底面とロック部材１４との間に垂下される筒体１２ｃの外周には、外筒１の底面とロック部材１４と摺合する筒体上下動防止用のリング体１５が取付けられており、このリング体１５とフランジ部１２ｂとにより正逆回転部材、すなわち作動伝達機構１２は上下動の防止が図られ、正逆回転のみが行われる。
【００２３】
次に、この実施例の動作を図３と図４を基づき説明する。図３は、装置の施錠状態を示しており、図示しない地中溝を開閉する軽量鋼製の蓋体と、その蓋体をカバーするコンクリート製の路面形成部材とを貫通して埋設される外筒１は、その上側開口部２内に上下動操作部材７が開口部２を面一に塞ぐように螺合されている。
【００２４】
上下動操作部材７が外筒１内に螺入される際には、上下動操作部材７の吊り子７ｂが内筒８を遊嵌状態で吊り下げているため、内筒８は、上下動操作部材７の昇降に伴って外筒１内で上下動する。
【００２５】
この際、内筒８の長孔８ａ，８ａには、外筒１の側面に開設された挿通孔４，４から螺入されたボルト５の先端部分が突き入れられているので、外筒１内で上下動する内筒８は、上下動操作部材７の回転操作に影響されず垂直状態で上下動するように規制される。
【００２６】
そして、図３の状態においては、正逆回転部材の羽根体１２ａは内筒８の挿通穴８ｂを介して内筒８内へ若干進入した状態にある。また、正逆回転部材１２のフランジ部１２ｂは外筒１の底面に掛かり止められた状態にあり、筒体１２ｃは外筒１の底面に開設された中央穴１６を挿通して垂下され、最下端に取付けられているロック部材１４は、図中左側方向に回転された状態で施錠状態とされている。
【００２７】
次に、この状態から施錠・解錠器具（図示略）を用いて上下動操作部材７を回転させ下降させると、上下動操作部材７に吊り下げられている内筒８も下降するのであるが、内筒８は垂直動規制部材１１により回転が規制されているので、すなわち内筒８の長孔８ａ，８ａには外筒１の側面に開設された挿通孔４，４から螺入されたボルト５の先端部分が突き入れられた状態にあるので、内筒８の自転が阻止され、内筒２８上下動操作部材７の回転には影響されず垂直状態のままで外筒内１を下降する。
【００２８】
内筒８の下降にしたがって、正逆回転部材の羽根体１２ａは、内筒８の底面に開設されている長方形状の挿通穴８ａ内へさらに進入することとなるが、羽根体１２ａは、その板体の上端面と下端面とが９０゜位相を異なるように捩って形成されたスクリュー状の羽根体として形成されているので、一定の垂直状態を保持している内筒８の底面の挿通穴８ｂに規制されつつ進入するので、漸次強制的に回転させられつつ挿通穴８ａ内へさらに進入することとなる。
【００２９】
よって、最終的には羽根体１２ａは、その板体の上端面と下端面とが９０゜位相を異なるように回転されることとなる。このようにして、正逆回転部材１２の筒体１２ｃの最下端に取付けられているロック部材１４は、図中奥行き方向に回転された状態となり解錠状態とされる（図４参照）。
【００３０】
内筒８の昇降時には、正逆回転部材の羽根体１２ａには引き下げ力と引き上げ力が加わるが、外筒１の底面とロック部材１４との間に垂下される筒体１２ｃの外周には、外筒１の底面とロック部材１４と摺合する筒体上下動防止用のリング体１５が取付けられており、このリング体１５とフランジ部１２ｂとにより正逆回転部材は上下動の防止が図られるので、結局、作動伝達機構１２はガタつかず正逆回転のみが円滑に行われる。
【００３１】
このように、この実施例に係るロック装置は、特に、施錠および解錠を実質的に行う作動伝達機構１２は、内筒８の底面に開設された長方形状の挿通穴８ｂに正逆回転部材の上部を形成する羽根体１２ａを進退させる構成とし、しかも、羽根体１２ａはその板体の上端面と下端面とが９０゜位相を異なるように捩って形成されたスクリュー状の羽根体として形成してあるので、一定の垂直状態を保持しつつ内筒８が昇降することにより、正逆回転部材はその羽根体１２ａの捩れにしたがって回動し、これと一体のロック部材１４が正回転と逆回転を交互に繰り返し、正逆回転時にはガタつかず円滑に施錠と解錠を繰り返すことができる。
【００３２】
したがって、この実施例によるロック装置は、この種の装置の主要な機構とされる作動伝達機構は、上下動操作部材における回転動作に伴う上下動の動作を、ロック部材における水平方向の正逆回転動作としてガタつかず円滑に変換し、かつこの作動伝達機構は、内筒底面に形成された長方形状の挿通穴に捩り形成した板体よりなるスクリュー状の羽根体を進退させるという簡易堅牢な機構として形成されているので、故障しにくい耐久性に優れ、製作コストの低減化を図ることができる。
【００３３】
なお、この実施例では、ロック装置は軽量鋼製の蓋体とその蓋体をカバーするコンクリート製の路面形成部材を貫通して両部材中に埋設されるものとして説明しているが、これに限定される必要はない。また、このロック装置を他の技術分野のロック装置として応用することも当然可能である。
【００３４】
【発明の効果】
以上説明したように、この発明によれば、作動伝達機構の回転動作に基づいてロック部材の水平方向の正逆回転動作をガタつかず円滑に行うことができるとともに、作動伝達機構を簡易かつ堅牢な構成としてロック部材の出没を図ることができ、、耐久性に優れ低コストな地中溝用蓋体のロック構造とする。
【図面の簡単な説明】
【図１】この発明に係るロック装置の外観を示す側面図である。
【図２】図１における平面図である。
【図３】施錠時の内部状態を示す説明用断面図である。
【図４】解錠時の内部状態を示す説明用断面図である。
【図５】内筒の長孔を示す説明図である。
【図６】内筒の底面を示す底面図である。
【符号の説明】
１      外筒                            ２      上側開口部
３      ネジ部                          ４      挿通孔
５      ボルト                          ６      フランジ部
７      上下動操作部材                  ８      内筒
１１    垂直動規制機構                  １２    作動伝達機構
１２ａ  スクリュー状の羽根体            １２ｂ  フランジ部
１２ｃ  筒体                            １４    ロック部材
１５    リング体
【図１】
0003796633.tif 000002
【図２】
0003796633.tif 000003
【図３】
0003796633.tif 000004
【図４】
0003796633.tif 000005
【図５】
0003796633.tif 000006
【図６】
0003796633.tif 000007